(57)【要約】【課題】複雑な固定構造や締付固定操作を要することなく、簡単な操作で強固に取り付けでき、取付強度も耐久性もまた弾性部自体の耐久性も秀れる画期的な雪止め金具を提供する。【解決手段】係止部７をアングル水平片部３の水平端部に係止して水平板部５をアングル水平片部３に重合し垂下板部４をアングル垂下片部２に重合する際、前記垂下片部４に弾性変形しこの復帰弾性力によってこの垂下板部４を外方へ押圧付勢する弾性部８を設け、この弾性部８に弾性変形した状態で前記アングル垂下片部２の下端部に係止する係止固定部９を設けて、前記弾性部８により前記アングル垂下片部２に対して前記垂下板部４を常に外方へ押圧付勢して強固に係止される構成とし、前記垂下板部４に受部10を設けこの垂下片部４が外方から荷重を受けてもこの受部10が前記アングル垂下片部２に当接して前記弾性部８の更なる弾性変形を阻止する構成とする。【選択図】図１
2010144382.tif 000002
【特許請求の範囲】
【請求項１】
屋根上に架設される雪止めアングルに掛け止めて垂設する雪止め金具であって、前記雪止めアングルのアングル垂下片部の外面に重合する垂下板部の上部に、前記雪止めアングルのアングル水平片部の上面に重合する水平板部を連設状態に設け、前記垂下板部若しくは垂下板部に設けた雪止め板部を雪止め部として前記雪止めアングルの下方に配設し得るように構成し、前記水平板部の先端部に前記アングル水平片部の水平端部に係止する係止部を設け、この係止部を前記アングル水平片部の水平端部に係止して前記水平板部を前記アングル水平片部に重合し前記垂下板部を前記アングル垂下片部に重合する際、弾性変形しこの復帰弾性力によって前記垂下板部を外方へ押圧付勢する弾性部を前記垂下片部に設け、この弾性部に弾性変形した状態で前記アングル垂下片部の下端部に係止する係止固定部を設けて、この弾性部により前記アングル垂下片部に対して前記垂下板部を常に外方へ押圧付勢して強固に係止固定されるように構成し、前記垂下片部が外方から荷重を受けても前記弾性部が更に弾性変形せず若しくは更なる弾性部の弾性変形途中で前記アングル垂下片部に当接してそれ以上の弾性変形を阻止する受部を前記垂下板部に設けたことを特徴とする雪止め金具。
【請求項２】
前記弾性部は折曲した板バネで形成したことを特徴とする請求項１記載の雪止め金具。
【請求項３】
前記弾性部を形成する板バネの止着端部を前記垂下板部に止着し、この止着端部に折り返し部を抗縮弾性部として連設し、この折り返し部の先端部に前記アングル垂下片部の下端部に係止固定する前記係止固定部を連設して、前記折り返し部を弾性変形させた状態で前記アングル垂下片部の下端部に前記係止固定部を係止固定することで、前記アングル垂下片部に重合した前記垂下板部を常に外方へ押圧付勢して、前記アングル水平片部の水平端部に前記係止部を係止して前記雪止めアングルに重合した前記水平板部及び前記垂下板部とが強固に係止固定されるように構成したことを特徴とする請求項２記載の雪止め金具。
【請求項４】
前記止着端部に連設した前記折り返し部に、前記アングル垂下片部の下端部に下から回り込み当接する前記係止固定部を連設し、この板バネの係止固定部に更に先端折り返し部付きの立ち上がり延長部を連設して前記板バネを形成し、この立ち上がり延長部の基端部を前記係止固定部とし前記折り返し部を変形自在な抗縮弾性部として前記弾性部を構成し、前記水平板部の先端部の前記係止部を前記アングル水平片部の水平端部に係止して前記水平板部及び前記垂下板部を回動することで前記アングル水平片部及び前記アングル垂下片部に夫々重合する際、前記アングル垂下片部の下端部が相対移動して前記板バネの前記立ち上がり延長部の先端部の前記先端折り返し部により形成された山部をこの弾性変形によって乗越えさせてこのアングル垂下片部の下端部に前記係止固定部が戻り変形によって係止固定して、前記折り返し部による更なる復帰弾性力によって前記垂下板部が外方へ押圧付勢した状態で係止固定されるように構成したことを特徴とする請求項３記載の雪止め金具。
【請求項５】
前記水平板部の先端部の前記係止部を前記アングル水平片部の水平端部に係止して前記水平板部及び前記垂下板部を回動し前記アングル水平片部及び前記アングル垂下片部に夫々重合する際、前記アングル垂下片部の下端部が相対移動して前記先端折り返し部を押圧することで前記折り返し部が弾性変形すると共に前記山部を乗り越えるガイド面となるようにこの先端折り返し部を形成し、この先端折り返し部に前記アングル垂下片部の下端部が当接しつつ前記相対移動して、前記折り返し部の弾性変形によって前記山部を乗り越えると戻り変形によって自動的にアングル垂下片部の下端部が前記立ち上がり延長部の根本部の前記係止固定部に弾圧当接して前記垂下板部はアングル垂下片部の下端部に係止固定すると共に、この垂下板部がこの折り返し部の更なる復帰弾性力によって常に外方へ押圧付勢されることで強固に係止固定されるように構成したことを特徴とする請求項４記載の雪止め金具。
【請求項６】
前記垂下板部の前記弾性部止着面よりも突出する部位を形成して前記受部を垂下板部に設けたことを特徴とする請求項１〜５のいずれか１項記載の雪止め金具。
【請求項７】
前記受部は、前記垂下板部の平断面形状の設定により前記弾性部の止着部より突出する部位をこの左右に夫々形成して垂下板部に設けたことを特徴とする請求項６記載の雪止め金具。
【発明の詳細な説明】
【技術分野】
【０００１】
本発明は、例えば折版屋根の頂部間に架設状態に配される雪止めアングルに垂設し、折版屋根の頂部間の谷部内に垂下配設される雪止め金具に関するものである。
【背景技術】
【０００２】
従来、このような雪止め金具としては様々なものが開発されているが、取付強度が十分でなかったり、また取付強度を上げるために締付固定機構が複雑であったり、取付作業や締付操作が厄介であったりした。
【０００３】
また単に雪止めアングルに被嵌当接して締付固定したのでは、締付固定部分に大きな負荷がかかり締付固定機構の締付固定強度を高くせざるを得ない。
【０００４】
また、単に雪止めアングルのアングル水平片部の先端縁（水平端部）に引っ掛け係止して取り付けたのではやはり十分な取付強度を確保できない。
【発明の開示】
【発明が解決しようとする課題】
【０００５】
本発明は、複雑な固定構造や締付固定操作を要することなく、雪止めアングルのアングル水平片部に係止させ更にアングル垂下片部の下端部に係止させ且つ外方へ押圧付勢する弾性部を設けることで、この弾性部による外方への押圧付勢によって簡単な操作で強固に取り付けでき、しかも単に弾性部で荷重を受けることにはならず弾性部とは別の受部によって荷重を受けることとなり、取付強度もこの耐久性もまた弾性部自体の耐久性にも秀れる画期的な雪止め金具を提供することを目的としている。
【０００６】
また更にいわゆるワンタッチで取付固定でき取付強度にも秀れた画期的な雪止め金具を提供することを目的としている。
【課題を解決するための手段】
【０００７】
添付図面を参照して本発明の要旨を説明する。
【０００８】
屋根上に架設される雪止めアングル１に掛け止めて垂設する雪止め金具であって、前記雪止めアングル１のアングル垂下片部２の外面に重合する垂下板部４の上部に、前記雪止めアングル１のアングル水平片部３の上面に重合する水平板部５を連設状態に設け、前記垂下板部４若しくは垂下板部４に設けた雪止め板部を雪止め部６として前記雪止めアングル１の下方に配設し得るように構成し、前記水平板部５の先端部に前記アングル水平片部３の水平端部に係止する係止部７を設け、この係止部７を前記アングル水平片部３の水平端部に係止して前記水平板部５を前記アングル水平片部３に重合し前記垂下板部４を前記アングル垂下片部２に重合する際、弾性変形しこの復帰弾性力によって前記垂下板部４を外方へ押圧付勢する弾性部８を前記垂下片部４に設け、この弾性部８に弾性変形した状態で前記アングル垂下片部２の下端部に係止する係止固定部９を設けて、この弾性部８により前記アングル垂下片部２に対して前記垂下板部４を常に外方へ押圧付勢して強固に係止固定されるように構成し、前記垂下片部４が外方から荷重を受けても前記弾性部８が更に弾性変形せず若しくは更なる弾性部８の弾性変形途中で前記アングル垂下片部２に当接してそれ以上の弾性変形を阻止する受部10を前記垂下板部４に設けたことを特徴とする雪止め金具に係るものである。
【０００９】
また、前記弾性部８は折曲した板バネ８Ａで形成したことを特徴とする請求項１記載の雪止め金具に係るものである。
【００１０】
また、前記弾性部８を形成する板バネ８Ａの止着端部11を前記垂下板部４に止着し、この止着端部11に折り返し部12を抗縮弾性部として連設し、この折り返し部12の先端部に前記アングル垂下片部２の下端部に係止固定する前記係止固定部９を連設して、前記折り返し部12を弾性変形させた状態で前記アングル垂下片部２の下端部に前記係止固定部９を係止固定することで、前記アングル垂下片部２に重合した前記垂下板部４を常に外方へ押圧付勢して、前記アングル水平片部３の水平端部に前記係止部７を係止して前記雪止めアングル１に重合した前記水平板部５及び前記垂下板部４とが強固に係止固定されるように構成したことを特徴とする請求項２記載の雪止め金具に係るものである。
【００１１】
また、前記止着端部11に連設した前記折り返し部12に、前記アングル垂下片部２の下端部に下から回り込み当接する前記係止固定部９を連設し、この板バネ８Ａの係止固定部９に更に先端折り返し部14付きの立ち上がり延長部13を連設して前記板バネ８Ａを形成し、この立ち上がり延長部13の基端部を前記係止固定部９とし前記折り返し部12を変形自在な抗縮弾性部として前記弾性部８を構成し、前記水平板部５の先端部の前記係止部７を前記アングル水平片部３の水平端部に係止して前記水平板部５及び前記垂下板部４を回動することで前記アングル水平片部３及び前記アングル垂下片部２に夫々重合する際、前記アングル垂下片部２の下端部が相対移動して前記板バネ８Ａの前記立ち上がり延長部13の先端部の前記先端折り返し部14により形成された山部15をこの弾性変形によって乗越えさせてこのアングル垂下片部２の下端部に前記係止固定部９が戻り変形によって係止固定して、前記折り返し部12による更なる復帰弾性力によって前記垂下板部４が外方へ押圧付勢した状態で係止固定されるように構成したことを特徴とする請求項３記載の雪止め金具に係るものである。
【００１２】
また、前記水平板部５の先端部の前記係止部７を前記アングル水平片部３の水平端部に係止して前記水平板部５及び前記垂下板部４を回動し前記アングル水平片部３及び前記アングル垂下片部２に夫々重合する際、前記アングル垂下片部２の下端部が相対移動して前記先端折り返し部14を押圧することで前記折り返し部12が弾性変形すると共に前記山部15を乗り越えるガイド面となるようにこの先端折り返し部14を形成し、この先端折り返し部14に前記アングル垂下片部２の下端部が当接しつつ前記相対移動して、前記折り返し部12の弾性変形によって前記山部15を乗り越えると戻り変形によって自動的にアングル垂下片部２の下端部が前記立ち上がり延長部13の根本部の前記係止固定部９に弾圧当接して前記垂下板部４はアングル垂下片部２の下端部に係止固定すると共に、この垂下板部４がこの折り返し部12の更なる復帰弾性力によって常に外方へ押圧付勢されることで強固に係止固定されるように構成したことを特徴とする請求項４記載の雪止め金具に係るものである。
【００１３】
また、前記垂下板部４の前記弾性部８止着面よりも突出する部位を形成して前記受部10を垂下板部４に設けたことを特徴とする請求項１〜５のいずれか１項記載の雪止め金具に係るものである。
【００１４】
また、前記受部10は、前記垂下板部４の平断面形状の設定により前記弾性部８の止着部より突出する部位をこの左右に夫々形成して垂下板部４に設けたことを特徴とする請求項６記載の雪止め金具に係るものである。
【発明の効果】
【００１５】
本発明は上述のように構成したから、複雑な固定構造や締付固定操作を要することなく、雪止めアングルのアングル水平片部に係止させ更にアングル垂下片部の下端部に係止させ且つ外方へ押圧付勢する弾性部を設けることで、この弾性部による外方への押圧付勢によって簡単な操作で強固に取り付けでき、しかも単に弾性部で荷重を受けることにはならず弾性部とは別の受部によって荷重を受けることとなり、取付強度もこの耐久性もまた弾性部自体の耐久性にも秀れる画期的な雪止め金具となる。
【００１６】
また、請求項２〜５記載の発明においては、一層本発明を簡単な構成で容易に実現できる極めて秀れた雪止め金具となる。
【００１７】
また、特に請求項４、５記載の発明においては、雪止めアングルのアングル水平片部の水平端部に水平片部の係止部を引っ掛けて回動することによって、いわゆるワンタッチで取り付けでき、また、戻り外れにくい一層秀れた雪止め金具となる。
【００１８】
また、特に請求項５記載の発明においては、弾性部の板バネの形状設定によって係止部を引っ掛けて回動して弾性部を弾性変形させて雪止めアングルに押し付け重合させる押圧操作によってワンタッチ装着できる極めて実用性に秀れた画期的な雪止め金具となる。
【００１９】
また請求項６、７記載の発明においては、雪止め部が荷重を受けても常時外方への戻り押圧付勢している弾性部がこれを支承せず弾性部と別に設けた受部で支承するため、荷重の変化によって可動せず取付強度もこの耐久性もまた弾性部自体の耐久性にも秀れる画期的な雪止め金具となる。
【発明を実施するための最良の形態】
【００２０】
好適と考える本発明の実施形態（発明をどのように実施するか）を、図面に基づいて本発明の作用を示して簡単に説明する。
【００２１】
雪止めアングル１に重合係止して、雪止めアングル１の下方に垂下板部４若しくは垂下板部４に設けた雪止め板部を雪止め部６として垂設し、雪止めアングル１で積雪を止めると共に雪止めアングル１の下方でもこの雪止め部６で積雪を止めるが、本発明はこの雪止めアングル１に重合係止して固定する場合、水平板部５の先端部に設けた係止部７を雪止めアングル１のアングル水平片部３の水平端部に引っ掛け係止する、例えば水平板部５をやや傾けてアングル水平片部３の水平端部に係止部７を引っ掛け係止してこの水平板部５と垂下板部４とを回動して夫々をアングル水平片部３とアングル垂下片部２とに重合する。この際、本発明は垂下板部４に設けた弾性部８が弾性変形してこの弾性部８に設けた係止固定部９がアングル垂下片部２の下端部に係止する。
【００２２】
このように係止部７と係止固定部９とによって重合係止するが、弾性部８の復帰弾性力によって垂下板部４はアングル垂下片部２に対して常に外方へ押圧付勢され、この付勢によって強固に係止固定されることとなる。
【００２３】
また本発明は、単に垂下板部４に設けた弾性部８がアングル垂下片部２に弾圧当接するのでなく、垂下板部４への荷重、即ち例えば垂下板部４が積雪を受け止めて外から荷重がかかったとき、この荷重を弾性部８が受けるのでなく、垂下板部４に別に設けた受部10が受け止めることとなる。即ち、弾性部８は弾性変形途中で、受部10がアングル垂下片部２に当接してそれ以上の変形が阻止される。従って、荷重を受けてもそれ以上弾性部８は弾性変形せず受部10がアングル垂下方部２に当接した時点でそれ以上弾性変形しない。
【００２４】
従って、アングル垂下片部２に対して垂下板部４は常に弾性部８の復帰弾性力による外方への押圧付勢によって、強固に係止固定されるが、外方から内方への荷重に対してはこの弾性部８が受けるのでなく、弾性変形途中で受部10とアングル垂下片部２とが当接しこの受部10を介してアングル垂下片部２で受けているから、垂下板部４は荷重によってその都度可動することがなく、常に強固に取り付けられると共に、この弾性部８の耐久性も向上することとなる。
【００２５】
また更に例えば、弾性部８の板バネ８Ａの形状設定によって係止部７を引っ掛けて回動して弾性部８を弾性変形させて雪止めアングル１に押し付け重合させる押圧操作によってワンタッチ装着できる極めて実用性に秀れた画期的な雪止め金具となる。
【実施例】
【００２６】
本発明の具体的な実施例１について図面に基づいて説明する。
【００２７】
本発明は、折板屋根30の頂部31間に設けた雪止めアングル固定金具32を用いてこの頂部31間に架設したＬ字型の雪止めアングル１に掛け止めて垂設し、折板屋根30の谷部33の積雪を止めるもので、雪止めアングル１のアングル垂下片部２の外面に重合する垂下板部４の上部に、雪止めアングル１のアングル水平片部３の上面に重合する水平板部５を連設状態に設け、この垂下板部４自体若しくは垂下板部４に更に設ける雪止め板部を雪止め部６として雪止めアングル１の下方に垂設し谷部33間に配設する構成としている。本実施例では、垂下板部４自体を雪止め部６としている。
【００２８】
また、本実施例では、雪止めアングル１のアングル水平片部３に重合する水平板部５の先端部にアングル水平片部３の水平端部に係止する係止部７を設け、この係止部７をアングル水平片部３の水平端部に係止して水平板部５及び垂下板部４を回動することでアングル水平片部３及びアングル垂下片部２に夫々重合させる構成としている。具体的には、水平板部５の先端部を折り曲げて係止部７を一体形成しているが、この屈曲部は断面半円形にふくらませて湾曲形成し、掛け止め易く、掛け止め後、回動して水平板部５や垂下板部４を雪止めアングル１に重合し易くしている。
【００２９】
また本実施例では、水平板部５と垂下板部４とを直角に連設してＬ字状に構成しているが、この水平板部５と垂下板部４との連設角部に角部逃げ凹部16を設けている。
【００３０】
この角部逃げ凹部16は、この連設角部に側方より見て半円形型の逃げ空間が形成されるように構成したもので、図３に示すように、係止部７を雪止めアングル１のアングル水平片部３の水平端部に引っ掛け係止したまま、これを基点に下方へ回動して水平板部５及び垂下板部４を雪止めアングル１に被嵌重合する際に、雪止めアングル１の角部が邪魔にならずに隙間なく重合できるようにしている。
【００３１】
従って、単に係止部７を引っ掛けて回動するだけで次々と雪止めアングル１に引っ掛け状態で隙間なく被嵌取付できることとなり、取付作業能率が向上することとなる。
【００３２】
また、本実施例は、係止部７をアングル水平片部３の水平端部に係止して水平板部５をアングル水平片部３に重合し垂下板部４をアングル垂下片部２に重合する際、弾性変形しこの復帰弾性力によって垂下板部４を外方へ押圧付勢する弾性部８を垂下片部４に設け、この弾性部８に弾性変形した状態でアングル垂下片部２の下端部に係止する係止固定部９を設けて、この弾性部８によりアングル垂下片部２に対して垂下板部４を常に外方へ押圧付勢して強固に係止固定している。
【００３３】
また、垂下片部４が外方から荷重を受けても弾性部８が更に弾性変形せず若しくは更なる弾性部８の弾性変形途中でアングル垂下片部２に当接してそれ以上の弾性変形を阻止する受部10を前記垂下板部４に設けている。
【００３４】
具体的には、弾性部８は、折曲した板バネ８Ａで形成し、この板バネ８Ａの止着端部11を垂下板部４に止着し、この止着端部11に折り返し部12を抗縮弾性部として連設し、この折り返し部12の先端部にアングル垂下片部２の下端部に係止固定する係止固定部９を連設している。
【００３５】
より具体的には、本実施例では、板バネ８Ａを伸展性があり金型で成形しやすい金属素材とし、この板バネ８Ａの基端部を垂下板部４に沿設する止着端部11とし、この止着端部11からＵ字状に折り返して撓み弾性を発揮する折り返し部12を一体形成し、更にこの折り返し部12の先端側を更に逆方向に折り返してアングル垂下片部２の下端部の下から回り込みこのアングル垂下片部２の下端部に圧接する係止固定部９を連設している。
【００３６】
この係止固定部９は、このように折り返し部12を押し撓ませた状態でアングル垂下片部２の下端部に圧接係止するように構成しているが、アングル垂下片部２の下端部の逆側まで回り込んで引っ掛け係止するように構成しても良い。
【００３７】
従って、本実施例では水平板部５の先端の係止部７をアングル水平片部３の水平端部に係止して水平板部５をアングル水平片部３に重合し垂下板部４をアングル垂下片部２に重合する際、弾性部８の折り返し部12を弾性変形させた状態でアングル垂下片部２の下端部に係止固定部９を係止固定することで、アングル垂下片部２に重合した垂下板部４を常に外方へ押圧付勢して、アングル水平片部３の水平端部に係止部７を係止して雪止めアングル１に重合した水平板部５及び垂下板部４とが強固に係止固定される。
【００３８】
また、本実施例では、更にこの板バネ８Ａの係止固定部９の先端に先端折り返し部14付きの立ち上がり延長部13を連設した構成とし、先端折り返し部14により立ち上がり延長部13の先端部に山部15を形成している。
【００３９】
また、図８に示すように、この先端折り返し部14は、この係止部７をアングル水平片部３の水平端部に係止して水平板部５をアングル水平片部３に重合し垂下板部４をアングル垂下片部２に重合する際、アングル垂下片部２に少なくともその一部が面接して垂下板部４をアングル垂下片部２に押圧した際の力を受け止め易すい当接面とすると共に、アングル垂下片部２の下端部が先端折り返し部14に対して相対移動して山部15を乗り越え係止固定部９へと導かれるガイド面となるように折り曲げ形成しており、この装着させる際において、アングル垂下片部２に垂下板部４を押圧すると、前記ガイド面としての先端折り返し部14が押圧されて、この押圧力により折り返し部12が垂下板部４側に弾性変形することにより山部15が下方に移動し、相対的にアングル垂下片部２の下端部は先端折り返し部14のガイド面に沿って上方の山部15へと導かれ、折り返し部12を変形させつつ山部15を乗り越えさせるまで押圧すると、折り返し部12が戻り変形してこのアングル垂下片部２の下端部に係止固定部９が係止固定し、この折り返し部12による更なる復帰弾性力によって垂下板部４が外方へ押圧付勢した状態で強固に係止固定されることとなる。
【００４０】
従って、弾性部８の板バネ８Ａのこのような形状設定によって係止部７を引っ掛けて回動して弾性部８を弾性変形させて雪止めアングル１に押し付け重合させる押圧操作するだけのワンタッチ装着で装着できる、極めて実用性に秀れた画期的な雪止め金具となる。
【００４１】
板バネ８Ａについて更に詳述すると、この板バネ８Ａは止着端部11の基端部から折り返し部12の頂点までの長さを、この折り返し部12の頂点から係止固定部９までの長さと略同等若しくは短い長さとし、止着端部11のリベット21止着位置である貫通孔19位置を折り返し部12の近傍に設けている。
【００４２】
後述する実施例２のように、止着端部11の基端部から折り返し部12の頂点までの長さを、折り返し部12の頂点から係止固定部９までの長さより長くして、止着端部11のリベット21止着位置である貫通孔19位置を折り返し部12から離れた位置に設けたものと比し、折り返し部12のバネ力が強くなり、垂下板部４をアングル垂下片部２の外方へ押圧付勢するための大きな復帰弾性力が得られるので、より強固に係止固定できることとなり、更に、板バネ８Ａをコンパクトな設計にできる。
【００４３】
本実施例で、板バネ８Ａの垂下板部４への固定方法は、止着端部11にリベット21の頭部が貫通する径大貫通孔18を設け、この径大貫通孔18を介して折り返し部12上に設けた貫通孔19と垂下板部４に設けた貫通孔20とをリベット21でかしめ固定している。
【００４４】
また本実施例では、垂下板部４に受部10を設けている。
【００４５】
この受部10は、前記垂下板部４の平断面形状の設定により前記弾性部８の止着部より突出する部位をこの左右夫々に形成して垂下板部４に設けている。
【００４６】
具体的には、垂下板部４内面且つこの垂下板部４に設けた弾性部８の左右に夫々に、弾性部８の止着面より弾性部８側に突出する凸部とし、この凸部の高さを、折り返し部12の弾性変形が途中で止まる高さを有しつつ、バネの無負荷時に係止固定部９が止着端部11から浮き上がる高さより低くしている。また、受部10は、金属素材を用い、プレス成形若しくは金型を使用して一体成形している。
【００４７】
従って、垂下片部４が雪により外方から荷重を受けても、常時外方への戻り押圧付勢している弾性部８はこの荷重を支承せずに、別に設けた受部10が垂下板部４を介して雪による外方からの荷重を支承するため、弾性部８が更に弾性変形せず若しくは更なる弾性部８の弾性変形途中でアングル垂下片部２に当接してそれ以上の弾性変形が阻止されることとなり、雪止め金具は荷重の変化によって可動せず取付強度もこの耐久性もまた弾性部８自体の耐久性も秀れることとなる画期的な雪止め金具となる。
【００４８】
また、雪止めアングル１にアングル水平片部３と垂下板部４とを重合係止した際に、前記垂下板部４をアングル垂下片部２に対して外方へ押圧する押圧付勢が常にかかることとなり、雪止めアングル１に強固に係止固定できる。
【００４９】
また、本実施例は、垂下板部４に設けた受部10だけでなく、係止部７を設けた水平板部５と垂下板部４と、角部逃げ凹部16と、受部10との全てを金属材料とすると共に金型を用いた一体の成形体としたので、量産しやすい製品となる。
【００５０】
次に、本実施例の別例を示す。
【００５１】
図９，１０は実施例２であり、板バネ８Ａにおける、止着端部11の基端部から折り返し部12の頂点までの長さを、折り返し部12の頂点から係止固定部９までの長さより長く設け、止着端部11に設けた止着位置（螺子孔19位置）を、先端折り返し部14の先端より下方としたもので、実施例１に比し得られる復帰弾性力は弱いものの、止着端部11に設けた螺子孔19にリベット21が取り付けやすく、また、折り返し部12に径大貫通穴18を設ける必要がないので加工も容易なものとなる。
【００５２】
また、図１１，１２は実施例３であり、本実施例の弾性部８としての板バネ８Ａは、板バネ８Ａの最上部に止着端部11を設け、この止着端部11の下端に弾性部８としての二段折り部23を連設したものであり、具体的にこの二段折り部23は、垂下板部４に添設する止着端部11の先端をアングル垂下片部２方向に折り曲げて立ち上がらせ、更に立ち上がらせた先端を下方に折り曲げることにより成形したものであり、係止部７をアングル水平片部３の水平端部に係止して水平板部５をアングル水平片部３に重合し垂下板部４をアングル垂下片部２に重合する際に、二段折り部23が弾性変形し、この復帰弾性力によって垂下板部４がアングル垂下片部２に対し外方向へ押圧される。これにより、折り返し部12をＵ字とした実施例１ほどの復帰弾性力は得られないものの、材料費を節約しつつ取り付け易いものとなる。
【００５３】
図１３は実施例４であり、垂下板部４を平板で形成し、受部10をこの垂下板部４とは別体となる円筒形の棒体を用いて、この棒体を板状垂下板部４の左右両端に溶接することにより設けたものであり、金型なしで製造できるものとなる。
【００５４】
図１４は実施例５であり、線材を屈曲させることにより、垂下板部４と、水平板部５と、受部10と、係止部７と、角部逃げ凹部16とを成形しており、この線材の中央部をコ字状に成形した垂下板部４には、この垂下板部４の左右の線材間に補強材としての架設桟体27を所定間隔で複数並設状態に設け、垂下板部４の外側面に板バネ８Ａ固定用の固定用板部22を左右の線材に架設固定することで設け、この固定用板部22の内側を止着面として弾性部８としての板バネ８Ａを止着する。
【００５５】
従って、垂下板部４を形成する線材が、板バネ８Ａを設けた止着面としての板材より突出した凸部となり、垂下板部４の左右が受部10となる。
【００５６】
折板屋根30に架設される積雪の重みに十分耐えうる強度を実現しつつ、軽量化できると共に材料コストを削減できることとなる。
【００５７】
尚、本請求項及び明細書における垂下板部４及び水平板部５は、この垂下板部４や水平板部５を板状に限定する主旨のものではなく、線材で構成されているものや網状に構成されているものも含むことを意味するものとする。
【００５８】
図１５は実施例６であり、垂下板部４に雪止め板部を雪止め部６として設けたもので、具体的には、この雪止め部６は線材を屈曲して折板屋根30の頂部31間の谷部33形状と同形状とした枠体28内に上下方向及び左右方向に補強部材としての架設桟体27を設けた形状としており、実施例４の垂下板部４の先端部に雪止め部６を設けている。
【００５９】
これより折板屋根30の頂部31間に積もった雪を一層確実に雪止めできることとなり、また、軽量且つ材料費の削減ができ、極めて実用的な雪止め金具となる。
【００６０】
尚、本実施例では実施例５における垂下板部４に雪止め板部６を設けた構成としたが、実施例１〜４の何れの雪止め金具に雪止め部６を設けた構成としてもよい。また、この雪止め部６は板状や網目状等にしても良い。
【００６１】
尚、本発明は、実施例１〜６に限られるものではなく、各構成要件の具体的構成は適宜設計し得るものである。
【図面の簡単な説明】
【００６２】
【図１】実施例１の説明斜視図である。
【図２】実施例１の説明正面図である。
【図３】実施例１の雪止めアングル装着前における縦方向の説明断面図である。
【図４】実施例１の雪止めアングル装着途中における縦方向の説明断面図である。
【図５】実施例１の雪止めアングル装着後における縦方向の説明断面図である。
【図６】実施例１の雪止めアングル装着後における下方から見た説明平断面図である。
【図７】実施例１における要部の分解斜視図である。
【図８】実施例１における要部の説明断面図である。
【図９】実施例２における要部の分解斜視図である。
【図１０】実施例２における縦方向の説明断面図である。
【図１１】実施例３における要部の分解斜視図である。
【図１２】実施例３における縦方向の説明断面図である。
【図１３】実施例４における説明斜視図である。
【図１４】実施例５における説明斜視図である。
【図１５】実施例６における説明斜視図である。
【符号の説明】
【００６３】
１  雪止めアングル
２  アングル垂下片部
３  アングル水平片部
４  垂下板部
５  水平板部
６  雪止め部
７  係止部
８  弾性部
８Ａ  板バネ
９  係止固定部
10  受部
11  止着端部
12  折り返し部
13  立ち上がり延長部
14  先端折り返し部
15  山部
【図１】
2010144382.tif 000003
【図２】
2010144382.tif 000004
【図３】
2010144382.tif 000005
【図４】
2010144382.tif 000006
【図５】
2010144382.tif 000007
【図６】
2010144382.tif 000008
【図７】
2010144382.tif 000009
【図８】
2010144382.tif 000010
【図９】
2010144382.tif 000011
【図１０】
2010144382.tif 000012
【図１１】
2010144382.tif 000013
【図１２】
2010144382.tif 000014
【図１３】
2010144382.tif 000015
【図１４】
2010144382.tif 000016
【図１５】
2010144382.tif 000017